(57)【要約】【課題】小さな力で扉体を速やかに昇降させることができ、しかも長期間に亘って安定して昇降できる水位調整用ゲートを提供するものである。【解決手段】口形のフレーム１の上部左右にウインチ１４Ａ、１４Ｂをそれぞれ取付け、ウインチ１４Ａ、１４Ｂに巻回したワイヤ１６の下端を、扉体４の左右上部に連結して扉体４を吊下げると共に、扉体４の左右側縁を、前記フレーム１のコ字形状をなす左右柱部２、２のガイド溝３内に摺動自在に挿入し、前記左右のウインチ１４Ａ、１４Ｂの回転軸１８を連結して、一方のウインチ１４Ａに取付けた片手ハンドル１９を回転して、左右のウインチ１４Ａ、１４Ｂの巻上げドラム１５Ａ、１５Ｂを同時に回転させて、扉体４を昇降するようにしたものである。【選択図】  図１  
2005273400.tif 000002
【特許請求の範囲】
【請求項１】
口形のフレームの上部左右にウインチをそれぞれ取付け、ウインチに巻回したワイヤの下端を、扉体の左右上部に連結して扉体を吊下げると共に、扉体の左右側縁を、前記フレームのコ字形状をなす左右柱部のガイド溝内に摺動自在に挿入し、前記左右のウインチの回転軸を連結して、一方のウインチに取付けた片手ハンドルを回転して、左右のウインチの巻上げドラムを同時に回転させて、扉体を昇降するようにしたことを特徴とする水位調整用ゲート。
【請求項２】
口形のフレームの上部にウインチを取付け、このウインチに巻回したワイヤを、扉体の左右上部に取付けた可動滑車と、フレームの上部左右に取付けた固定滑車に蛇行して通し、ワイヤの端部をフレームの上部片側に固定して、扉体を吊下げると共に、扉体の左右側縁を、前記フレームのコ字形状をなす左右柱部のガイド溝内に摺動自在に挿入し、前記ウインチに取付けた片手ハンドルを回転して、ウインチの巻上げドラムを回転させ、扉体を昇降するようにしたことを特徴とする水位調整用ゲート。
【発明の詳細な説明】
【技術分野】
【０００１】
本発明は、農業用水路などの分水桝に取付ける水位調整用ゲートに関するものである。                         
【背景技術】
【０００２】
農業用水路の分流桝には水を分流するために水位調整用ゲートが取付けられている。この水位調整用ゲートは図４に示すように、口形のフレーム１の左右柱部２、２をコ字形状をなすチャンネル材で形成し、この内側をガイド溝３、３として、ここに扉体４の左右側縁を挿入して摺動自在に支持されている。
【０００３】
また、口形のフレーム１の上部連結材６の中央には丸ハンドル７を取付けた昇降機８が取付けられ、ここにネジ９を形成したスピンドル１０が上下に貫通して螺合し、丸ハンドル７の回転により、この内側に形成したねじ孔と前記ネジ９の送りネジ作用によりスピンドル１０を昇降するようになっている。またスピンドル１０の下端は扉体４の上部にブラッケット１１で連結され、スピンドル１０の上下動に伴って昇降し、扉体４が下降した時に、その左右両側に取付けたクサビ１３と、左右柱部２、２のガイド溝３、３内の下部に取付けたクサビ１３とが密着して水密構造となるようになっている（特許文献１）。
【０００４】
しかしながら、従来の水位調整用ゲートは、丸ハンドル７を回転させて昇降機８でスピンドル１０のネジ９を送るので、ネジピッチ分ずつしか送ることができず扉体４の開閉動作が遅い問題があった。また丸ハンドル７を回転させるためにコンクリート側壁１２の上に乗って両手で回転させなければならず、しかもネジ９にゴミなどが付着すると円滑に回転できず大きな力で回転させなければならなかった。
【０００５】
また丸ハンドル７を回転して扉体４を下降させていった時に、扉体４のクサビ１３と左右柱部２、２の下部のクサビ１３とが当接してから、更に力を加えて回転させると、ネジ９が潰れたり、扉体４が変形したりする問題もあった。
【特許文献１】特開２００１−２０２６５号公報
【発明の開示】
【発明が解決しようとする課題】
【０００６】
本発明は上記問題を改善し、小さな力で扉体を速やかに昇降させることができ、しかも長期間に亘って安定して昇降できる水位調整用ゲートを提供するものである。
【課題を解決するための手段】
【０００７】
本発明の請求項１記載の水位調整用ゲートは、口形のフレームの上部左右にウインチをそれぞれ取付け、ウインチに巻回したワイヤの下端を、扉体の左右上部に連結して扉体を吊下げると共に、扉体の左右側縁を、前記フレームのコ字形状をなす左右柱部のガイド溝内に摺動自在に挿入し、前記左右のウインチの回転軸を連結して、一方のウインチに取付けた片手ハンドルを回転して、左右のウインチの巻上げドラムを同時に回転させて、扉体を昇降するようにしたことを特徴とするものである。
【０００８】
本発明の請求項２記載の水位調整用ゲートは、口形のフレームの上部にウインチを取付け、このウインチに巻回したワイヤを、扉体の左右上部に取付けた可動滑車と、フレームの上部左右に取付けた固定滑車に蛇行して通し、ワイヤの端部をフレームの上部片側に固定して、扉体を吊下げると共に、扉体の左右側縁を、前記フレームのコ字形状をなす左右柱部のガイド溝内に摺動自在に挿入し、前記ウインチに取付けた片手ハンドルを回転して、ウインチの巻上げドラムを回転させ、扉体を昇降するようにしたことを特徴とするものである。
【発明の効果】
【０００９】
本発明に係る請求項１記載の水位調整用ゲートによれば、扉体を２台のウインチで昇降自在に支持したので、扉体の上昇はウインチの巻上げによって行ない、下降は自重で速やかに行なわれ、従来のネジを切ったスピンドルのように丸ハンドルを回転させてネジピッチ分ずつ送る構造に比べて速やかに昇降でき扉体の開閉時間を大幅に短縮させることができる。またゴミなどが付着するネジがなくワイヤの巻上げによって扉体を昇降させるので、変形もなく長期間に亘って安定して作動することができる。
【００１０】
また請求項２記載の水位調整用ゲートによれば、扉体を上昇させる時は、片手ハンドルを手で持ってウインチを回転させてワイヤを巻上げると、ワイヤは２個の固定滑車と可動滑車を蛇行して通しているので、扉体は水平を保持した状態で上昇していく。また扉体を４本のワイヤで吊り上げた状態となっているので、片手ハンドルを回転させる力は半分となり作業は容易で、しかもウインチは１台なので構造も簡素化されメンテナンスも容易である。
【発明を実施するための最良の形態】
【００１１】
農業用水路の分水桝に取付ける水位調整用ゲートを実現した。
【実施例１】
【００１２】
以下本発明の実施例を図１および図２を参照して詳細に説明する。口形のフレーム１の左右柱部２、２をコ字形状のチャンネル材で形成し、この内側をガイド溝３、３として、ここに扉体４の左右側縁を挿入して上下に摺動自在に支持している。
【００１３】
口形のフレーム１の上部左右にはそれぞれウインチ１４Ａ、１４Ｂが取付けられ、各ウインチ１４Ａ、１４Ｂの巻上げドラム１５Ａ、１５Ｂに巻回されたワイヤ１６の下端を、扉体４の左右上部のフック１７、１７に連結して扉体４を吊下げるようになっている。前記ウインチ１４Ａ、１４Ｂの巻上げドラム１５Ａ、１５Ｂに取付けた回転軸１８は連結されており、一方のウインチ１４Ａに取付けた片手ハンドル１９を回転させることにより、巻上げドラム１５Ａ、１５Ｂが同時に回転するようになっている。また片手ハンドル１９とウインチ１４Ａ、１４Ｂはカバー２０で覆われ、片手ハンドル１９を覆うカバー２０は一方が開口した円筒状に形成されている。
【００１４】
また扉体４の背面両側には図２に示すように断面９字状に巻回したゴムパッキン２１、２１が縦方向に取付けられ、左右柱部２、２のガイド溝３、３内に当接して水圧により密閉されるようになっている。なお図１に示す２２は、左右柱部２、２に取付けたブラケットで、コンクリート側壁１２に突設したアンカーボルト２３に接続して口形のフレーム１を固定するようになっている。
【００１５】
上記構成の水位調整用ゲートの扉体４を上昇させる時は、片手ハンドル１９を手で持って回転させると回転軸１８で連結された左右のウインチ１４Ａ、１４Ｂが同時に回転して巻上げドラム１５Ａ、１５Ｂにより左右のワイヤ１６が巻上げられて、扉体４が左右柱部２、２のガイド溝３、３内を水平に上昇して排水口２５が開き、ここから水が分水される。扉体４を所定の高さまで上昇させたら、ウインチ１４Ａに取付けた図示しないロック機構をセットする。
【００１６】
また扉体４を下降させる時は、片手ハンドル１９を手で持ってウインチ１４Ａに取付けたロック機構を解除すると、扉体４は自重により速やかにフレーム１の下部まで下降する。また、扉体４が下降した状態では図２に示すようにゴムパッキン２１が水圧により排水口２５の周囲のコンクリート側壁１２に押し付けられて隙間が密閉される。
【００１７】
従って扉体４の上昇はウインチ１４Ａ、１４Ｂの巻上げによって行ない、下降は自重で速やかに行われるので、従来のネジ９を切ったスピンドル１０のように丸ハンドル７を回転させてネジピッチ分ずつ送る構造に比べて速やかに昇降でき扉体４の開閉時間を大幅に短縮することができる。またゴミなどが付着するネジ９がなくワイヤ１６の巻上げによって扉体４を昇降させるので、変形もなく長期間に亘って安定して作動することができる。
【実施例２】
【００１８】
図３は本発明の他の実施例を示すもので、口形のフレーム１の左右柱部２、２をコ字形状をなすチャンネル材で形成し、この内側をガイド溝３、３として、ここに扉体４の左右側縁を挿入して上下に摺動自在に支持している。口形のフレーム１の上部連結材６の片側にはウインチ１４が取付けられている。また上部連結材６の左右下側には固定滑車２６、２６が取付けられ、ウインチ１４と反対側の位置にフック１７が取付けられている。
【００１９】
また扉体４はその左右上部にブラッケット１１、１１が突設され、ここに可動滑車２７、２７が取付けられている。ウインチ１４から繰り出されたワイヤ１６は、先ずこの下方の扉体４に取付けた一方の可動滑車２７をＵ字状に折返して、上部連結材６のウインチ側に取付けた固定滑車２６を通し、更に他方の可動滑車２７から、扉体４に取付けた他方の可動滑車２７をＵ字状に折返して、上部連結材６に取付けたフック１７に端部を連結し、全体を蛇行して通したものである。
【００２０】
上記構成の水位調整用ゲートの扉体４を上昇させる時は、片手ハンドル１９を手で持ってウインチ１４を回転させると、巻上げドラム１５によりワイヤ１６が巻上げられる。この時、ワイヤ１６は２個の固定滑車２６と可動滑車２７を蛇行して通しているので、ワイヤ１６が巻上げられると扉体４は水平を保持した状態で上昇していく。また扉体４を４本のワイヤ１６で吊り上げた状態となっているので、図１の構造に比べて片手ハンドル１９に加わる力は半分となるので作業は容易である。またウインチ１４も１台で良く構造も簡素化されメンテナンスも容易である。
【産業上の利用可能性】
【００２１】
なお上記説明では農業用水路の分水桝に取付けた場合についのて示したが、用水路の中間に設置して、扉体４でダムのように堰き止めてオーバーフローさせ、水位を保持するようにしても良い。
【図面の簡単な説明】
【００２２】
【図１】本発明の実施例による水位調整用ゲートの正面図である。
【図２】図１のＡーＡ線断面図である。
【図３】本発明の他の実施例による水位調整用ゲートの正面図である。
【図４】従来の丸ハンドルを回転させる水位調整用ゲートを示す正面図である。
【符号の説明】
【００２３】
１    フレーム                                             
２    左右柱部                                             
３    ガイド溝                                             
４    扉体                                                 
６    上部連結材                                           
７    丸ハンドル                                           
８    昇降機                                               
９    ネジ                                                 
１０  スピンドル                                           
１１  ブラッケット                                         
１２  コンクリート側壁                                     
１３  クサビ                                               
１４  ウインチ                                          
１５  巻上げドラム    
１６  ワイヤ                            
１７  フック          
１８  回転軸     
１９  片手ハンドル                
２０  カバー   
２１  ゴムパッキン   
２２  ブラケット       
２３  アンカーボルト  
２５  排水口      
２６  固定滑車    
２７  可動滑車  
【図１】
2005273400.tif 000003
【図２】
2005273400.tif 000004
【図３】
2005273400.tif 000005
【図４】
2005273400.tif 000006